(57)【要約】  照明制御システム１００は、第１の電力レベルを供給するために第１の光源１１０に動作的に結合されている第１のアダプタ１５０と、第２の電力レベルを供給するために第２の光源１２０に動作的に結合されている第２のアダプタ１６０とを含んでいる。コントローラ１７０は、前記第１の電力レベルを現在の電力レベルに変更するように第１のアダプタ１５０を制御する。第１のアダプタ１５０は、更に、変更された又は現在の（絶対的な又は相対的な）前記電力レベルを検出し、この結果、第２のアダプタ１６０は、例えば、検出された前記現在の電力レベルに基づいて、第１のアダプタ１５０によって、制御される。
2010526406.tif 000002
【特許請求の範囲】
【請求項１】
第１の電力レベルを供給するために第１の光源に動作的に結合されている第１のアダプタと、
第２の電力レベルを供給するために第２の光源に動作的に結合されている第２のアダプタと、
前記第１のアダプタを制御して前記第１電力レベルを現在の電力レベルに変更するコントローラと、
を有する照明制御システムであって、前記第１のアダプタは、更に、前記現在の電力レベルを検出し、この結果、前記第２の電力レベルが、検出された前記現在の電力レベルに基づいて制御される、照明制御システム。
【請求項２】
前記第１のアダプタは、更に、前記第２の電力レベルを前記検出された現在の電力レベルに変更するように、前記検出された現在の電力レベルを前記第２のアダプタに通信する、請求項１に記載の照明制御システム。
【請求項３】
前記第２のアダプタがスレーブであり、前記第１のアダプタが前記スレーブを制御するマスタである、請求項１に記載の照明制御システム。
【請求項４】
前記第１のアダプタが、前記現在の電力レベルを測定するセンサを含んでいる、請求項１に記載の照明制御システム。
【請求項５】
コントローラからの信号に応じて、第１の光源の第１の電力レベルを、変更された電力レベルに変更する手段と、
前記変更された電力レベルを検出する手段と、
前記変更された電力レベルに従って第２の光源を制御する手段と、
を有する照明制御システム。
【請求項６】
前記変更された電力レベルを前記制御する手段に通信する手段を更に有する、請求項５に記載の照明制御システム。
【請求項７】
前記検出する手段はマスタであり、前記制御する手段はスレーブである、請求項６に記載の照明制御システム。
【請求項８】
前記制御する手段は、前記第２の光源の第２の電力レベルを前記変更された電力レベルに変更する、請求項６に記載の照明制御システム。
【請求項９】
第１の光源及び第２の光源を制御する方法であって、
コントローラからの信号に応じて、前記第１の光源の第１の電力レベルを、変更された電力レベルに変更するステップと、
前記変更された電力レベルを検出するステップと、
前記変更された電力レベルに従って前記第２の光源を制御するステップと、
を有する方法。
【請求項１０】
前記変更された電力レベルを、第１のアダプタから第２のアダプタに通信するステップを更に有する、請求項９に記載の方法において、前記第１のアダプタは、前記検出するステップを実施し、前記第１の光源に動作的に結合されており、前記第２のアダプタは、前記第２の光源に動作的に結合されている、方法。
【請求項１１】
前記第１のアダプタがマスタであり、前記第２のアダプタがスレーブである、請求項１０に記載の方法。
【請求項１２】
前記変更された電力レベルを第１のアダプタから前記コントローラへ通信するステップと、前記変更された電力レベルを前記コントローラから第２のアダプタまで通信するステップとを更に有する請求項９に記載の方法であって、前記第１のアダプタが、前記検出するステップを実施し、前記第１の光源に動作的に結合されており、前記第２のアダプタは前記第２の光源に動作的に結合されている、方法。
【請求項１３】
前記検出するステップが、前記第１の光源に動作的に結合されているアダプタにより実行される、請求項９に記載の方法。
【請求項１４】
前記制御するステップは、前記第２の光源の第２の電力レベルを、前記第２の光源に動作的に結合されているアダプタによって、前記変更された電力レベルに変更するステップを有する、請求項９に記載の方法。
【請求項１５】
前記制御するステップは、前記第２の光源の第２の電力レベルを前記変更された電力レベルに変更するステップを含んでいる、請求項９に記載の方法。
【発明の詳細な説明】
【技術分野】
【０００１】
当該システムは、第１の光源の前記現在の電力レベルを検出し、前記第１の光源の検出された前記現在の電力レベルに基づいて第２の光源を制御するインテリジェントアダプタを含んでいる照明制御システムに関する。
【背景技術】
【０００２】
現在、家庭用照明制御システムは、家庭において、消費者又は専門的な設置者の何れかによって取り付けられている。これらの家庭用照明ネットワーク及び制御システムの複雑さは、取り付けられたシステムの種類に依存して変化する。これらのシステムの複雑さは、当該システムの一部であるノードの数と共に増大する。更に、システムの複雑さは、増大された数の複雑なシステムの部分と共に増大される。例えば、制御デバイスは、取り付けの間及び通常の使用の間の両方において、高いレベルの複雑さを伴って導入される。複雑さを低減するための典型的な解決策は、例えば、ソフトメニューによる照明制御のための液晶スクリーンを含み得る簡単な制御システムである。
【発明の概要】
【発明が解決しようとする課題】
【０００３】
ほとんどのシステムの不利な点は、元の照明制御システムが、新しいシステムと統合化されるのではなく、新しいシステムによって無視されていることにある。しばしば、既存の照明スイッチは、新しいシステムにおいて負担となるが、消費者は、依然として、照明システムを制御するために、新しいシステムと古いシステムとの両方を使用することができればと思っている。即ち、消費者は、互いに干渉する又は競合することなく、既存の照明スイッチか又は新しく導入された制御装置かの何れかを使用することにより当該照明システムを制御することができればと思っている。
【０００４】
不足しているものは、ユーザが、簡単な態様において、所望の全体的な照明及び／又は照明効果を生成するために複数の光源を含む照明システムを制御できるようにする照明制御システムである。
【０００５】
当該システム及び方法の１つの目的は、従来の照明制御システムの不利な点を克服することにある。
【課題を解決するための手段】
【０００６】
例示的な実施例によれば、照明制御システムは、第１の電力レベルを供給するために第１の光源に動作的に結合されている第１のアダプタと、第２の電力レベルを供給するために第２の光源に動作的に結合されている第２のアダプタとを含んでいる。コントローラは、前記第１のアダプタを制御して前記第１の電力レベルを現在の電力レベルに変更する。前記第１のアダプタは、更に、この変更された又は現在の（絶対的又は相関的な）電力レベルを検出し、この結果、前記第２のアダプタが、検出された前記現在の電力レベルに基づいて、例えば、前記第１のアダプタによって及び／又は前記コントローラによって制御される。
【０００７】
当該システム及び方法の適応性の更なる範囲は、以下に与えられる詳細な説明から明らかになる。詳細な説明及び具体例は、当該システム及び方法の例示的な実施例を示しているが、説明の目的のみに意図されているものであり、本発明の範囲を制限しようと意図されているものではないと理解されたい。
【０００８】
本発明の装置、システム及び方法のこれらの及び他のフィーチャ、見地及び有利な点は、以下の説明、添付請求項及び添付の図面から良好に理解されるようになる。
【図面の簡単な説明】
【０００９】
【図１】本システムの例示的な実施例によるインタラクティブシステムを示している。
【発明を実施するための形態】
【００１０】
或る例示的な実施例に関する以下の説明は、単に性質において例示的なものであり、本発明や本発明の用途又は使用を制限することを目的としているものではない。本システム及び方法の実施例の以下の詳細な説明において、本出願の一部を形成している添付図面が参照されるが、当該添付図面には、説明として、上述のシステム及び方法が実施されることができる特定の実施例が示されている。これらの実施例は、当業者が、本明細書において開示されるシステム及び方法を実施するのを可能にするように充分詳細に記載されており、他の実施例が利用されることもでき、本システムの精神及び範囲から逸脱することなく、構造及び論理的な変更がなされ得ると理解されたい。
【００１１】
従って、以下の詳細な説明は、限定的な意味にとられるべきではなく、本システムの範囲は添付請求項のみによって規定される。明確さのために、よく知られている装置、回路及び方法の詳細な説明は、本システムの説明を不明瞭としないように省略される。
【００１２】
本システム及び方法は、システム全体に対する入力装置として、全ての種類の既存の照明スイッチを使用する可能性を、大きな変形及び費用を伴うことなく、提供する。これがなされ得る仕方は、絶対的及び相対的な電力消費を測定するために照明ノードを制御するのに既に使用されている電子機器だけを使用することである。電力、電圧及び／又は電流消費の現在のレベル及び変化は、部屋の場面設定の決定において使用されている。このように、既存の照明システムは、本システム及び方法によって使用され統合されるので、既存のスイッチの問題が利点へと転換される。簡単さのため、電力（及び電力消費）とは、電力、電圧及び電流（消費）の少なくとも１つを含むように称されるものと理解されたい。
【００１３】
図１は、少なくとも２つの光源１１０、１２０が示されている照明相互作用又は制御システム１００の実施例を示している。各光源１１０、１２０は、例えば、１２０ＶＡＣ、６０Ｈｚをそれぞれ供給する壁コンセント１４０、１４５のような、主電源からの電力を受け取るための電源コード１３０、１３５を有している。制御システム１００は、第１の光源１１０に第１の電源レベルを供給するために第１の光源１１０に動作的に結合されている第１のアダプタ１５０と、第２の光源１２０に第２の電源レベルを供給するために第２の光源１２０に動作的に結合されている第２のアダプタ１６０とを含んでいる。例として、第１の光源１１０は、第１の壁面コンセント１４０にプラグ接続される第１のアダプタ１５０にプラグ接続されても良く、第２の光源１２０は、第２の壁面コンセント１４５にプラグ接続される第２のア、ダプタ１６０にプラグ接続されても良い。
【００１４】
制御システム１００は、更に、（第１のランプ１１０に供給されている）第１の電力レベルを変更された又は現在の出力電力レベルまで変更するように第１のアダプタ１５０を制御するコントローラ１７０（例えば、リモコン）を含んでおり、第１のランプ１１０がオン又はオフにされることができる又は第１のランプ１１０の光の出力強度が変化させることができる（例えば、調光）従来の電源アダプタを制御する従来のリモコンに類似している。
【００１５】
従来のアダプタが単に（光をオン／オフする及び調光するための）アクチュエータのみであり、センサ又はスイッチを含んでいないという従来の制御システムとは対照的に、本制御システム１００のアダプタ１５０、１６０のうちの少なくとも一方は、インテリジェントなものであり、相対的又は絶対的な意味（term）において、現在の電力レベルを測定するセンサ１７５を含んでいる。第１のアダプタ１５０がセンサ１７５を含んでいる場合において、グループ又はリンクモードにおいて、前記現在の電力レベルを検出すると、第１のアダプタ１５０は、第１のランプ１１０に供給されている又は第１のランプ１１０によって消費されている現在の電力のこの測定値を、第２のランプ１２０を制御する（例えば、検出された又は測定された前記現在の電力レベルに基づいて、第２のランプ１２０に供給される電力レベルを変更する）第２のアダプタ１６０に通信するトランシーバ１８０を含んでいる。
【００１６】
例えば、トランシーバ１８０は、リモコン１７０からの制御信号１８２を受け取り、前記制御信号に応じて第１のランプ１１０の電力レベルを変更する。センサ１７５は、第１のランプ１１０の変更された現在の電力レベルを測定し、トランシーバ１８０は、第２のランプ１２０の第２の（従属）アダプタ１６０に、前記変更された現在の電力レベルを含むアダプタ制御信号１８４を送信する。アダプタ制御信号１８４に応じて、第２の（スレーブ）アダプタ１６０は、第２のランプ１２０に供給される電力を制御し、第２のランプ１２０に供給される電力は、例えば、第１のランプ１１０の変更された現在の電力レベルに等しくされることができる。
【００１７】
例として、第１のアダプタ１５０は、第２のランプ１２０の電力レベルを第１のランプ１１０の前記現在の電力レベルに変更するように前記第２のアダプタを制御する。従って、第２のアダプタ１６０は、第１のアダプタ１５０から、又はコントローラ１７０から（この場合、前記第１のアダプタ１５０は、第１のランプ１１０の現在の電力レベルに基づいて第２のランプ１２０を制御するコントローラ１７０に、第１のランプ１１０の現在の電力レベルを供給する）の第１のランプ１１０の現在の電力レベルの受け取りに応じて制御される。
【００１８】
よく知られているように、リモコン１７０は、少なくとも１つの光源又はランプ１１０、１２０を制御するためにボタンを有していても良い。例えば、このようなボタン又はキーは、第１のランプ１１０に供給される電力を変更するように第１のアダプタ１５０を制御することによって、第１のランプ１１０が発している光の強度を変更するためのオン／オフボタン及びアップ・ダウンボタンを含み得る。勿論、他の種類のユーザボタン又はインターフェースも設けられることができ、例えば、回転若しくは摺動可能なノブ、又はソフトキー、ボタン及び／若しくは回転又は摺動可能なノブがスクリーン上に表示されるタッチスクリーンを備えるリモコン、並びにポインタ、マウス及びキーボード等のような何らかの入力装置による制御が設けられることができる。
【００１９】
リモコン１７０は、制御システム１００のモードを単一又は通常モードからグループ又はリンクモードに変更するための１つ以上のモードボタンを更に含むことができる。例えば、１つのモードボタンが、通常モードとグループモードとの間を切り換えるように設けられることもでき、例えば、発光ダイオード（ＬＥＤ）のような、光の指示がモードを示し、前記ＬＥＤは、通常モードにおいてオフにされ、グループモードにおいてオンにされることもできる。１つのボタンの代わりに、コントローラ１７０は、図１に示されているような２つのボタン１８６、１８８を含んでいても良く、一方のボタン１８６は、システム１００を通常モードにし、他方のボタン１８８は、前記システムをグループモードにする。１つ以上のＬＥＤ１９０が、この動作モードの指示を提供することもできる。
【００２０】
通常モードにおいて、リモコンは、（マスタとして振る舞う）前記リモコンに関連付けられている（複数の）アダプタを制御し、前記アダプタ自体は、スレーブとして振る舞う。グループモードにおいて、前記アダプタのうちの一方、例えば、第１のアダプタ１５０は、リモコン１７０から制御信号１８２を受け取り、第１のランプ１１０に供給されている又は第１のランプ１１０によって消費されている現在の電力を測定し、制御信号１８２に従って又は応答して、第１のランプ１１０に供給されている電力を変更する。更に、第１のアダプタ１５０は、アダプタ制御信号１８４を、他の従来の又はインテリジェントアダプタ（例えば、第２のランプ源１２０に供給されている電力を変更する第２のインテリジェントアダプタ１６０）に送信する。
【００２１】
アダプタ制御信号１８４に応じて、第２のインテリジェントアダプタ１６０は、（リモコン１７０からの制御信号１８２に応じて）第１のアダプタ１５０によって、第１のランプ１１０に供給されている電力を変更するのと同様に、第２のランプ１２０に供給されている電力を変更する。即ち、第２のインテリジェントアダプタ１６０は、第２のランプ１２０に供給されている又は第２のランプ１２０によって消費されている現在の電力を測定し、アダプタ制御信号１８４に従って又は応答して、第２のランプ１２０に供給されている電力を変更する。従って、照明のグループは、ユーザがリモコン１７０を起動した場合、所望の強度の光を供給するように制御されることができる。
【００２２】
所望のランプ又は光源は、例えば、リモコン１７０又は何らかの他のインターフェース（例えば、キーボード、タッチ感知式のスクリーン、ポインタ、マウス等のような、様々な入／出力装置）を通じてユーザによって手動で、一緒にリンク付けされることもできる。代替的には、様々なランプのグループ化又はリンク付けは、例えば、前記アダプタ上のトグルスイッチ（例えば、４つのトグルスイッチ）を介して、ランプに電力を供給するインテリジェントアダプタにより実施されることができ、一緒にリンク付けされた全てのアダプタのトグルスイッチは、同じように又は同様に設定され、例えば、全てのリンク付けされている又はグループ化されているアダプタの最初の３つのトグルスイッチはオフになっている一方で、最後のトグルスイッチはオンになっている。
【００２３】
変更された電力レベルは、絶対的又は相対的な意味であっても良い。例えば、リモコン１７０からの制御信号１８２及び／又はマスタアダプタ１５０からのアダプタ制御信号１８４は、例えば、ゼロに対して４０％のような、絶対的な電力レベルを含んでも良く、又は例えば、前記現在のランプ電力レベルより、おおよそ３０％だけランプ電力を変更するように、前記制御されているランプによって消費されている又は前記制御されているランプに供給されている現在の電力レベルからの電力の変更（増大又は減少）を含んでも良い。
【００２４】
リモコン１７０、及び２つのアダプタ１５０、１６０間のような、様々な要素間の通信は、何らかの手段（有線の又は無線の、例えば、ＺｉｇＢｅｅ（登録商標）のような何らかのプロトコルを使用している手段）によるものであることができる。アダプタ１５０、１６０は、別個のスタンドアロンの要素である代わりに、それぞれ、ランプ１１０、１２０内に組み込まれても良く、壁面コンセント１４０、１４５と一体化されても良く、又は壁及び／又は天井若しくは部屋のような、他の要素と一体化されても良いことも理解されたい。
【００２５】
当該システムの他の実施例において、このランプは、第１のランプ１１０のオン／オフ及び調光スイッチ１９２のような、制御スイッチと、第２のランプ１２０の同様のランプスイッチ１９４とを含み得る。電力アダプタ１５０、１６０は、ユーザが前記ランプスイッチ１９２、１９４によって行ったことを検知し、各ランプ１１０、１２０に供給されている又は各ランプ１１０、１２０によって消費されている電力を測定する。本制御システム１００のインテリジェントアダプタ１５０、１６０とは対照的に、従来の制御システムにおいて、ユーザが、制御（例えば、ランプスイッチを介した光源又はランプの調光）を開始する場合、例えば、同じ光源が従来のリモコン及びアダプタシステムを介しても調光可能である場合、前記従来のアダプタは、前記ランプの現在の電力レベルを検出しない又は知らないので、問題となる。
【００２６】
本制御システム１００のインテリジェントアダプタ１５０、１６０は、前記光源の電力消費を検出する。例えば、最初の数例において、第１の光源１１０はオンであり、第１のインテリジェントアダプタ１５０が、どのような電力レベルが存在する、又は供給されているか及び／若しくは第１のランプ１１０により消費されているか（即ち、絶対レベル）について学んでもよい。
【００２７】
説明のための例として、第１の光源１１０がオフである場合、信号が第１の光源１１０を１／２の電力にするためにリモコン１７０から（又はマスタとして振る舞う第２のアダプタ１６０から）第１のアダプタ１５０に送信される場合、第１の光源１１０は、半分の電力（０の電力  ＋  １／２の電力  ＝  １／２の電力）を出力する。しかしながら、第１の光源１１０が、例えば、自身のランプスイッチ１９２を介して手動で四分の一の電力（１／４の電力）にされており、第１のアダプタ１５０が半分の電力（１／２の電力）を生成するための同じ信号を受け取った場合、第１のアダプタ１５０は、第１の光源１１０の現在の又は既存の電力レベルを感知し、１／４の電力＋１／４の電力＝１／２の電力であるので、前記ランプの電力を１／４だけ増大させる。即ち、第１のアダプタ１５０は、第１の光源１１０の既存の電力レベルを検出し、これに応じて、適当な電力レベルを生成するように差分を補償するように前記信号を調整する点において、「インテリジェント」なのである。
【００２８】
本システム及び方法の光源、ランプ又は照明器具は、光源又は照明器具のグループの多かれ少なかれクローン化された振る舞い（例えば、２つのランプ１１０、１２０が図１に示されている部屋の各隅における４つのアップライタ又はトーチランプの振る舞い）を有する部分よって作られていても良い。第１のアダプタ１５０のような、インテリジェントアダプタは、変更する（例えば、（第１のアダプタ１５０にプラグ接続されているような、第１のアダプタ１５０と関連している）第１の光源自体を調光する）だけではなく、絶対的な及び／又は相対的な電力レベル又は変更を使用して、他のクローン化されている又はグループ化されている光源も制御する（例えば、第２のランプ１２０を、第１の光源１１０の調光レベルと関連付けられている又は第１の光源１１０の調光レベルに等しいレベルまで調光する）。
【００２９】
所定の関係が前記光源間に存在し得る場合、例えば、第１の光源が５０％の電力に又は５０％の電力だけ調光される場合、前記第２の光源は、５０％の何分の１まで又は５０％の何分の１だけ（４０％又は７０％だけ等）だけ調光される。勿論、この電力の変更が、絶対的なレベルの代わりに、相対的なレベルである場合、第１のランプ１１０は７０％の電力で既にオンであり、第２のランプ１２０は６０％の電力で既にオンであり、リモコン信号１８２（及び／又はアダプタ信号１８４）が、半分だけ又は５０％だけの相対的な調光を示している場合、第１のアダプタは、第１のランプ１１０に３５％の電力（即ち７０％の半分）を供給し、第２のアダプタは、第２のランプ１２０に３０％の電力（即ち６０％の半分）を供給する。
【００３０】
従って、前記リモコンによる１つのランプの電力レベルの変更は、相応の量又は値だけ、クローン化されたランプン電力レベルを変更することもでき、前記マスタアダプタによって、グループのスレーブアダプタに送信される。この効果は、前記グループ内の異なる照明器具間のマスタ・スレーブ関係である。当該システムによって、全ての照明をオン／オフに切換えることも可能であり得る。
【００３１】
勿論、２つのアダプタ１５０、１６０は、それぞれのセンサ及びトランシーバを有する同一のものであっても良く、第２のアダプタ１６０がマスタとして振る舞うこともでき、第１のアダプタ１５０がスレーブとして振る舞うこともでき、この場合、リモコン１７０（又は、更なるコントローラ）が、第２のランプ１２０の電力レベルを変更するために第２のアダプタ１６０と最初に通信する。この状況と同様に、第１のアダプタ１５０が、マスタであり、コントローラからの信号に応じて、第２のアダプタ１６０は、供給されている又は第２のランプ１２０により消費されている現在の電力を測定し、前記コントローラからの信号に従って前記電力のレベルを変更し、変更された電力レベル（相関的又は絶対的）を、第１のランプ１１０に供給されている前記電力の制御又は変更のために第１のアダプタ１５０と通信する。ここで、第１のアダプタ１５０のセンサ１７５は、第１のランプ１１０に供給されている又は第１のランプ１１０によって消費されている既存の電力を測定し、測定された前記電力と第２のアダプタ１６０から受け取られた信号とに基づいて、第１のアダプタ１５０は、第１のランプ１１０に供給されている前記電力を変更する。
【００３２】
マスタ・スレーブ照明システムが、Ｗｅｂｅｒに付与されたものであって米フィリップス社に譲渡されている米国特許第５，５９８，０３９号に示されており、この文献は、完全に本願明細書に引用したものとされるものであり、主ランプ及び第２のランプを有するマスタ・スレーブ切換えシステムを記載している。主ランプがオンにされる又はオフにされる場合、特徴的な無線信号が、遠隔のスレーブ電気システムに送信される。この信号によって、前記スレーブ電気システムは、主要な電気システムがオフにされる場合にオフにされ、前記スレーブ電気システムは、前記主要な電気システムがオンにされる場合にオンにされる。
【００３３】
前記スレーブ光源は、マスタ光源の動作を模倣することもできる。又は、これらは、遅延様式において、前記マスタ光源に追従するように構成されても良い。例えば、前記マスタ光源が減光する場合、前記スレーブ光源は、予め設定された期間の後に減光することもできる。更に、前記スレーブ光源は、特定の順序で減光しても良く、又は前記スレーブ光源は、前記スレーブ光源の前記マスタ光源への前記従属光源の相対的な近接位置に基づいて減光することもできる。他の実施例は、前記スレーブ光源が、部屋又は占有されている空間内の自身の位置に基づいて減光するものであっても良い。
【００３４】
前記リモコンは、必要とされず、第１のランプコントローラ１９２のような、ランプコントローラを経た電力レベルの変更が、第１のアダプタ１５０により検出されても良く、第１のランプ１１０に供給されている又は第１のランプ１１０によって消費されている変更された又は現在の電力を測定し、絶対的又は相対的な値に基づいて、上述されたクローン化されたランプの電力を変更するように、アダプタ信号１８４を他のリンク付けされている又はクローン化されているアダプタに送信し、例えば、前記クローン化されたランプの電力を、前記第１のランプ１１０の電力レベルの変更に比例して（即ち、相対的な電力レベル）変更する、又は前記クローン化されたランプの電力を、前記第１のランプの電力と同じに又は前記第１のランプの電力の所定の割合（即ち、絶対的なレベル）となるように変更する。従って、消費者は、これらが前記光源上の光を制御するのに既に使用されているので、自身の照明をより自然な仕方で制御できる。しばしば、照明器具は、リモコンがユーザによって部屋内を移動される傾向にあるので、前記リモコンよりもユーザに近い。
【００３５】
２つのアダプタ及び２つの光源が、例示的な実施例において記載されているが、多数の光源及びアダプタが使用されることもでき、例えば、１つ以上のアダプタが（複数の）マスタとして振る舞うことができ、残りの１つ以上のアダプタが（複数の）スレーブとして振る舞うこともできると理解されたい。当該光源は、１つのマスタ光源と、前記マスタ照明器具のスレーブである残りの照明器具とを有して構成されることもできる。当該光源は、当該光源が前記アダプタ及び／又は複数のアダプタに対するスレーブであるように構成されることもできる。各光源は、自身のアダプタを有することもでき、又は一組の光源に、１つのアダプタ又は複数のアダプタが働いても良い。一実施例において、指令信号を（例えば、リモコン１７０又はランプ調光器１９２、１９４を介して）１つの光源に単に送信することは、クローン化されている、リンク付けされている又はグループ化されている一組の光源全体を調光しても良い。これは、管理するのがより容易である照明制御システムになる。
【００３６】
コントローラ１７０及び／又はインテリジェントアダプタ１５０、１６０は、前記光源に、部屋内の前記光源の場所に基づいて他の光効果を生成するように制御することもできる。即ち、前記光は、消費者／ユーザに心地良い或るパターンにおける出力を増大する及び減少することができる。前記アダプタ、照明制御システム又は照明装置により決定されることができる制御信号は、絶対的な電力レベル、最大レベル、最小レベル、上方への調光、下方への調光、又はオン／オフを含んでいる。
【００３７】
コントローラ１７０及び／又はインテリジェントアダプタ１５０、１６０各々は、前記光源の制御に関するプログラムを記憶する及び実行するための自身のプロセッサ及びメモリを有することもできる。このように設けられているこれらの光源は、領域又は住宅内の照明の通常のパターンを学習することもできる。例えば、オフィス内の照明は、典型的には或る時間（勤務日の開始）に開始しても良く、照明は、後ほど（就業日の終了）消えても良い。この場合、前記光源のプロセッサ及びメモリは、オン又はオフにする規則的な回数を学習することもでき、前記アダプタは、ユーザによる如何なる更なる入力も伴わずに、自動的に、照明のパターンを作る照明の設定のプログラムを作ることもできる。この光源の組は、グループ制御／クローン化に加えて、場面設定又は全てオン／オフの設定のような、他の種類の振る舞いを取り扱うこともできる。
【００３８】
インタラクティブな照明制御システム１００の様々な構成要素は、例えば、バスを介して相互接続されることもでき、又は、例えば、有線又は無線のリンクを含む何らかの種類のリンクによって、互いに動作的に結合されていると理解されたい。更に、タッチ感知表示器、キーボード又はマウス等のような、様々な入力装置が、リモコン１７０に加えて又はリモコン１７０の代わりに使用されることもできる。従って、ユーザは、所定のシナリオを何らかの関連する表示器に表示されている表又はメニューから選択することもできる。
【００３９】
勿論、本明細書を考慮した通信に関する当業者には明らかではあるが、送信機、受信器、トランシーバ、アンテナ、変調器、復調器、変換器、送受切り換え器、フィルタ又はマルチプレクサ等のような、様々な要素が、通信のための当該システム又はネットワーク要素内に含まれ得る。様々なシステムの構成要素間の通信又はリンクは、例えば、有線又は無線のような、何らかの手段によるものであっても良い。前記システム要素は、例えば、前記プロセッサと、別個のものである又は一緒に集積されていても良い。よく知られているように、コントローラ１７０及び／又はアダプタ１５０、１６０は、このメモリ内に記憶される指示を実行するプロセッサを含んでいても良く、前記メモリは、例えば、システム制御に関連するプログラム可能な設定又は所定の設定のような、他のデータを記憶することもできる。
【００４０】
様々な変形が、本願明細書の記載を考慮して当業者により認識されるように提供されている。当該方法の動作の行為は、特に、コンピュータソフトウェアプログラム及び／又はスクリプトにより行われるのに適している。前記コンピュータソフトウェアプログラムは、例えば、前記方法の前記個々のステップ又は動作に対応するモジュールを含んでもよい。前記アプリケーションデータ及び他のデータは、これに本システム及び方法に従った動作実行させるために前記コントローラ又はプロセッサによって、受け取られる。このようなソフトウェア、アプリケーションデータ及び他のデータは、勿論、コンピュータ読み取り可能な媒体（例えば、集積チップ）、周辺機器又はメモリ（例えば、前記メモリ、又は前記コントローラ又は光モジュールのプロセッサに結合されている他のメモリ）内に組み込まれることができる。
【００４１】
前記コンピュータ読み取り可能な媒体及び／又はメモリは、何らかの記録可能な媒体（例えば、ＲＡＭ、ＲＯＭ、リムーバブルメモリ、ＣＤ―ＲＯＭ、ハードドライブ、ＤＶＤ、フロッピーディスク（登録商標）又はメモリカード）であっても良く、又は伝送媒体（例えば、時分割多重アクセス、符号分割多重アクセス又は他の無線通信システムを使用している、ファイバーオプティックス、ワールドワイドウェブ、ケーブル及び無線チャネルを含むネットワーク）であっても良い。コンピュータシステムと一緒に使用されるのに適している情報を記憶することができる既知の又は開発されている如何なる媒体も、コンピュータ読み取り可能な媒体及び／又はメモリとして使用されることができる。
【００４２】
付加的なメモリが、使用されても良い。コンピュータ読み取り可能な媒体、メモリ、及び／又は他のメモリは、長期の、短期の又は長期と短期との組み合わせの期間の記憶であっても良い。これらのメモリは、プロセッサ／コントローラ及び／又はインテリジェントアダプタを、本願明細書に開示されている方法、動作及び機能を実施化するように構成している。前記メモリは、プロセッサを有して単独で位置されていても良く、又は前記システム中に分散されていても良く、分散されている又は単独のものであり得る付加的なプロセッサが設けられても良い。前記メモリは、電気的な、磁気的な若しくは光学的なメモリ、又はこれら若しくは他の種類の記憶装置の何らかの組合せとして実施化されることができる。更に、「メモリ」なる用語は、プロセッサによって、アクセスされるアドレス指定可能な空間におけるアドレスにおいて読み出される又は書き込まれることができる如何なる情報も包含するのに十分に広く解釈されるべきである。この定義によれば、インターネットのような、ネットワーク上の情報は、前記プロセッサが前記ネットワークからの情報を受け取ることができるので、前記メモリ内又は前記メモリの一部に存在する。
【００４３】
前記アダプタ／プロセッサ及び前記メモリは、如何なる種類のプロセッサ／コントローラ及びメモリであっても良い。前記プロセッサは、上述の様々な動作を実施し、前記メモリ内に記憶される命令を実行できるものであることができる。前記プロセッサは、特定用途向け又は一般用途向けの（複数の）集積回路であっても良い。更に、当該プロセッサは、本システムに従って機能する専用プロセッサであっても良く、汎用プロセッサであって、多くの機能のうちの１つのみが、本システムに従って機能するために動作するものであっても良い。前記プロセッサは、プログラム部分、複数のプログラムセグメントを利用して動作することもでき、専用又多目的の集積回路を使用しているハードウェア装置であっても良い。ユーザの存在及び同一性を識別するために利用される上述のシステムの各々は、更なるシステムと共に利用されても良い。
【００４４】
もちろん、上述の実施例又は過程の何れか１つが、照明制御における更なる改良を提供するために他の実施例又は過程の１つ以上と組み合わされることもできることが分かるであろう。
【００４５】
最後に、上述の議論は、本システムを単に説明するためのものであり、添付請求項を如何なる特定の実施例又は実施例のグループに制限するものとして解釈されてはならない。従って、本システムは、これらの特定の例示的な実施例を参照して特に詳細に記載されたが、多数の変形及び代替的な実施例が、後続する請求項に記載の本システムのより幅広い及び意図された精神及び範囲を逸脱することなく、当業者により考案されることができることが分かるであろう。従って、本明細書及び図面は、例示的な態様におけるものとみなされるものであり、添付請求項の範囲を制限するものとしてみなされるものではない。
【００４６】
添付請求項における解釈において、
−  ａ）「有する」なる語は、所与の請求項に列挙されているのと別の要素又は動作の存在を排除するものではなく、
−  ｂ）単数形の構成要素は、複数のこのような構成要素の存在を排除するものではなく、
−  ｃ） 前記請求項における如何なる符号も、当該請求項の範囲を制限するものではなく、
−  ｄ）幾つかの「手段」は、同じ若しくは異なる項目、ハードウェア又はソフトウェア実施化された構造若しくは機能であっても良く、
−  ｅ）開示されている要素のいずれかは、ハードウェア部分（例えば、別個の集積電子回路を含む）、ソフトウェア部分（例えば、コンピュータプログラミング）及びこれらの組み合わせから構成されていても良く
−  ｆ）ハードウェア部分は、アナログ及びデジタル部分の一方又は両方から構成されていても良く、
−  ｇ）開示されている装置又はこれらの一部の何れかが一緒に組み合わせられても良く、又は、そうでない場合、詳細に定められていない限り、更なる部分に分離されていても良く、
−  ｈ）動作又はステップの詳細な順序は、詳細に示されていない限り、必要であると意図されているものではない、
ことを理解されたい。
【図１】
2010526406.tif 000003
【国際調査報告】
2010526406.tif 000004
2010526406.tif 000005
2010526406.tif 000006